(57)【要約】表示装置は、複数の電子ペンと接続可能であり、複数の電子ペン及びタッチによる入力に応じた情報を表示する画面を有し、タッチ検出センサと、無線通信部と、表示制御部と、タッチパネル制御部とを備える。タッチ検出センサは、画面のタッチを検出する。無線通信部は、接続された複数の電子ペンから信号を受信する。表示制御部は、無線通信部で受信した信号から、接続された複数の電子ペンのうち少なくとも二つの電子ペン間の距離を判定する。タッチパネル制御部は、同判定に基づいて、タッチ検出センサの機能を有効か無効にする。
2015145931.tif 000002
【特許請求の範囲】
【請求項１】
複数の入力デバイスと接続可能であり、複数の入力デバイス及びタッチによる入力に応じた情報を表示する画面を有する表示装置であって、
画面のタッチを検出するタッチ検出センサと、
接続された前記複数の入力デバイスから信号を受信可能な情報受信部と、
前記情報受信部で受信した信号から、接続された前記複数の入力デバイスのうち少なくとも二つの入力デバイス間の距離を判定する表示制御部と、
前記表示制御部の判定に基づき、前記タッチ検出センサの機能を有効か無効にするタッチパネル制御部と、
を備える、表示装置。
【請求項２】
前記タッチパネル制御部は、前記少なくとも二つの入力デバイス間の距離が所定値以下である場合、前記タッチ検出センサの機能を無効にする、
請求項１に記載の表示装置。
【請求項３】
前記タッチパネル制御部は、前記少なくとも二つの入力デバイス間の距離が所定値より大きい場合、前記タッチ検出センサの機能を有効にする、
請求項１に記載の表示装置。
【請求項４】
前記タッチパネル制御部は、前記少なくとも二つの入力デバイス間の距離が前記所定値より大きい場合、前記タッチ検出センサの機能を有効にする、
請求項２に記載の表示装置。
【請求項５】
前記タッチパネル制御部は、前記少なくとも二つの入力デバイス間の距離が所定値より大きく、且つ前記複数の入力デバイスのうちのいずれも前記画面と近接又は接触していない場合、前記タッチ検出センサの機能を有効にする、
請求項１に記載の表示装置。
【請求項６】
前記タッチパネル制御部は、前記少なくとも二つの入力デバイス間の距離が前記所定値より大きく、且つ前記複数の入力デバイスのうちのいずれも前記画面と近接又は接触していない場合、前記タッチ検出センサの機能を有効にする、
請求項２に記載の表示装置。
【請求項７】
前記タッチパネル制御部は、前記少なくとも二つの入力デバイス間の距離が取得されない場合、前記タッチ検出センサの機能を有効にする、
請求項１から４のいずれかに記載の表示装置。
【請求項８】
前記所定値は、前記画面の対角線の長さに相当する、
請求項２から７のいずれかに記載の表示装置。
【請求項９】
前記複数の入力デバイスは、電子ペンである、
請求項１から８のいずれかに記載の表示装置。
【発明の詳細な説明】
【技術分野】
【０００１】
本開示は、電子ペン等の入力デバイスとタッチパネルによる操作で情報の入力が可能な表示装置に関する。
【背景技術】
【０００２】
特許文献１は、複数のペンにより操作された場合、タッチパネルに後から接触した専用ペンの入力のみを有効にするサポート機能付ゲーム機を開示している。【０００３】
大画面の表示装置において複数の電子ペンを同時に利用して描画するとき、電子ペンを持つ手や電子ペンを持っていない方の手がタッチパネルに触れてしまうことがある。この場合、電子ペンだけではなく、タッチパネルに触れてしまった手によっても間違って入力が実行され描画されてしまう。このため、表示装置の使い勝手がよくなかった。【０００４】
また、画像センサ方式の電子ペンは、画像センサがタッチパネル上に配置されるドットパターンを読み取り、タッチパネル上の電子ペンの位置情報を生成する。表示装置は、電子ペンから送信される位置情報に基づき、描画等の表示を実行する。よって、表示装置は、電子ペンの画像センサをドットパターン或いはタッチパネルに向けなければ、電子ペンがタッチパネルに接近しているかどうか判断できない。このため、複数の入力手段、例えば電子ペンとユーザの手が画面の上方にあっても、表示装置は、電子ペンによる入力を優先させる等の入力制御を行うことができない場合がある。
【先行技術文献】
【特許文献】
【０００５】
【特許文献１】特開２００７−１９５７７１号公報
【発明の概要】
【０００６】
本開示における表示装置は、複数の入力デバイスと接続可能であり、複数の入力デバイス及びタッチによる入力に応じた情報を表示する画面を有する。表示装置は、タッチ検出センサと、情報受信部と、表示制御部と、タッチパネル制御部とを備える。タッチ検出センサは、画面のタッチを検出する。情報受信部は、接続された複数の入力デバイスから信号を受信可能である。表示制御部は、情報受信部で受信した信号から、接続された複数の入力デバイスのうち少なくとも二つの入力デバイス間の距離を判定する。タッチパネル制御部は、表示制御部の判定に基づき、タッチ検出センサの機能を有効か無効にする。
【図面の簡単な説明】
【０００７】
【図１】図１は、実施の形態１における表示装置の断面構成を示す図である。
【図２】図２は、実施の形態１における表示装置の制御部の構成を示す図である。
【図３】図３は、実施の形態１における電子ペンの構成を示す図である。
【図４】図４は、実施の形態１における表示装置と電子ペンの接続処理を示すシーケンス図である。
【図５Ａ】図５Ａは、実施の形態１における電子ペンの位置情報の送信動作を説明するためのフローチャートである。
【図５Ｂ】図５Ｂは、電子ペン間の距離情報の送信動作を説明するためのフローチャートである。
【図６Ａ】図６Ａは、実施の形態１における表示装置の電子ペンの入力による表示制御動作を説明するためのフローチャートである。
【図６Ｂ】図６Ｂは、タッチパネルの制御動作を説明するためのフローチャートである。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面及び以下の説明は、当業者が本開示を十分に理解するために、提供されるのであって、これらにより特許請求の範囲に記載の主題を限定することは意図されていない。
【００１０】
以下に説明する実施の形態の表示装置は、電子ペン等の入力デバイスによって情報の入力及び操作が可能な電子機器である。そのような電子機器の例として、スマートフォン、タブレット端末が考えられる。
【００１１】
（実施の形態１）
以下、図１〜６を用いて、実施の形態１を説明する。
【００１２】
［１−１．構成］
［１−１−１．表示装置の構成］
図１に示すように、表示装置１８０（表示装置の一例）は、電子ペンによる描写が可能であり且つタッチによる操作が可能な画面１８０ａ（タッチパネル）を有する。表示装置１８０は、ドットパターン付フィルム１００、カバーガラス１１０、タッチ検出センサ１２０（タッチ検出センサの一例）、液晶パネル１３０、制御部１０、及び無線通信部１６０（情報受信部の一例）を備える。
【００１３】
ドットパターン付フィルム１００は、特定の配列でドットが実装されたフィルムである。電子ペンの画像処理部（後述）は、ドットパターン付フィルム１００の所定範囲内のドットパターンから画像位置を特定する。
【００１４】
カバーガラス１１０は、液晶パネル１３０や、タッチ検出センサ１２０を保護するためのガラスである。
【００１５】
タッチ検出センサ１２０は、例えば、格子状に透明電極が実装され、透明電極に対する電圧の変化等を監視することにより、画面１８０ａへの指等の接触を検出する。
【００１６】
液晶パネル１３０は、後述する表示制御部１３が決定した表示パターンを表示する。液晶パネル１３０は、表示パターンに基づき、映像、各種アイコン等の画像、及びアプリケーションによる文字等の各種情報を表示する。
【００１７】
制御部１０は、ＣＰＵ（Ｃｅｎｔｒａｌ  Ｐｒｏｃｅｓｓｉｎｇ  Ｕｎｉｔ；制御部の一例）１５０及びメモリ１４０を備える。ＣＰＵ１５０は、メモリ１４０上にあるプログラムを読み込み、実行し、表示装置１８０の全体動作を制御する。メモリ１４０は、例えば、半導体メモリである。
【００１８】
無線通信部１６０は、Ｂｌｕｅｔｏｏｔｈ（登録商標）等近距離無線通信を行い、所定の通信規格に従った信号を電子ペン２５０から受信する。
【００１９】
［１−１−２．制御部の構成］
図２は、制御部１０の構成を示す。制御部１０は、ＣＰＵ１５０（図１）がプログラムを実行することによって、タッチ検出部１１、表示制御部１３（表示制御部の一例）、液晶パネル制御部１４、及びタッチパネル制御部１５（タッチパネル制御部の一例）の各機能を実行する。記憶部１２はメモリ１４０により構成される。
【００２０】
タッチ検出部１１は、例えば、液晶パネル１３０上のタッチ検出センサ１２０に対し電圧制御を行い、電圧の変化等を監視する。そして、タッチ検出部１１は、液晶パネル１３０に対する指等の接触を検出し、画面１８０ａ上の接触位置情報（座標データ）を生成する。なお、タッチ検出部１１は、本実施の形態の電子ペンによる画面１８０ａに対する接触は検知しない。
【００２１】
表示制御部１３は、タッチ検出部１１からタッチ位置情報を取得する。
【００２２】
表示制御部１３はまた、電子ペン２５０から無線通信部１６０を介して受信された電子ペン２５０の位置情報及び接触情報を取得する。電子ペン２５０の位置情報は、電子ペン２５０のペン先がドットパターン付フィルム１００に接触又は近接した際に読み取った位置情報であり、接触情報は筆圧センサ（後述）による接触情報である。表示制御部１３はまた、他の電子ペンとの距離情報を電子ペン２５０より無線通信部１６０を介して取得する。
【００２３】
表示制御部１３は、取得した電子ペンによる接触位置の軌跡に基づく表示パターンを生成し、液晶パネル１３０に表示するように液晶パネル制御部１４に通知する。更に、表示制御部１３は、タッチ検出部１１からの検出信号に基づき、ユーザによるフリック、ピンチイン、ピンチアウト等のジェスチャ操作に基づいた表示制御を行う。
【００２４】
更に、表示制御部１３は、他の電子ペンとの距離情報（複数の電子ペンの位置情報から算出した電子ペン間の距離）に基づき、タッチ検出センサ１２０の機能を有効にするか無効にするかを決定する。そして、表示制御部１３は、決定に基づいたタッチパネル制御命令をタッチパネル制御部１５に通知する。具体的には、他の電子ペンとの距離が所定値以下であれば、タッチ検出センサ１２０の機能を無効にする。
【００２５】
表示制御部１３はまた、電子ペン２５０の位置情報に基づき、タッチ検出センサ１２０の機能を有効にするか無効にするかを決定し、決定に基づいたタッチパネル制御命令をタッチパネル制御部１５に通知する。具体的には、電子ペン２５０のペン先が画面１８０ａに接触又は近接していれば、タッチ検出センサ１２０の機能を無効にする。
【００２６】
液晶パネル制御部１４は、表示制御部１３から通知された表示パターンを、液晶パネル１３０に表示させる。液晶パネル制御部１４はまた、表示制御部１３で取得した電子ペン２５０による接触位置の軌跡を、液晶パネル１３０に表示させる。
【００２７】
タッチパネル制御部１５は、表示制御部１３から通知されたタッチパネル制御命令に応じてタッチ検出センサ１２０による検出を有効或いは無効にする。タッチ検出センサ１２０が有効である場合、つまりタッチパネル機能が有効である場合は、表示制御部１３は、タッチ検出部１１からの検出信号に基づき、ユーザによるフリック、ピンチイン、ピンチアウト等のジェスチャ操作に基づいた表示制御を実行する。一方、タッチ検出センサ１２０が無効である場合、つまりタッチパネル機能が無効である場合は、タッチ検出部１１による検出を停止する。
【００２８】
［１−１−３．電子ペンの構成］
図３は、実施の形態１における電子ペン（入力デバイスの一例）の構成を示す図である。
【００２９】
図３において、電子ペン２５０は、ＬＥＤ２００、画像センサ２１０、画像処理部２２０、無線通信部２３０、筆圧センサ２４０、近接センサ２６０を備える。
【００３０】
ＬＥＤ２００は、光を照射する。
【００３１】
画像センサ２１０は、ＬＥＤ２００から照射された光の反射光を検出することにより、電子ペン２５０がドットパターン付フィルム１００に接触した際のペン先に位置するドットパターンを読み取る。画像センサ２１０は、読み取ったドットパターンを含む画像データを画像処理部２２０に送信する。なお、画像センサ２１０は、電子ペン２５０がドットパターン付フィルム１００に近接していれば、ドットパターン付フィルム１００に接触していなくても、電子ペン２５０のペン先の先にあるドットパターンを読み取ることができる。
【００３２】
画像処理部２２０は、画像センサ２１０から取得した画像データ（ドットパターン）を解析し、ペン先の接触位置の位置情報（座標データ）を生成して、無線通信部２３０に送信する。
【００３３】
電子ペン２５０の無線通信部２３０は、画像処理部２２０から取得したペン先の位置情報と、筆圧センサ２４０から転送される接触情報と、近接センサ２６０から転送される距離情報を、表示装置１８０の無線通信部１６０に送信する。
【００３４】
筆圧センサ２４０は、電子ペン２５０のペン先がドットパターン付フィルム１００に接触しているかを検出し、さらに接触した場合にその接触の強さを検出する。そして、筆圧センサ２４０は、その検出結果を示す接触情報を、電子ペン２５０の無線通信部２３０に転送する。
【００３５】
近接センサ２６０は、他の電子ペンとの距離を計測する。そして、近接センサ２６０は、その計測結果を示す距離情報を、電子ペン２５０の無線通信部２３０に送信する。
【００３６】
無線通信部２３０は、近接センサ２６０より取得した距離情報を表示装置１８０の無線通信部１６０に送信する。
【００３７】
［１−２．動作］
［１−２−１．電子ペンと表示装置の接続処理］
図４は、電子ペン２５０と表示装置１８０との間で行う接続処理（ペアリング）を示す。なお、この接続処理は、電子ペン２５０の最初の電源ＯＮ時に実行される。
【００３８】
まず、電子ペン２５０の無線通信部２３０から表示装置１８０の無線通信部１６０に対し、ペアリング開始要求信号を送信する（Ｓ４１０）。
【００３９】
ペアリング開始要求信号を受信した表示装置１８０は、電子ペン２５０に対し電子ペン２５０の識別コード要求信号を送信する（Ｓ４１１）。
【００４０】
識別コード要求信号を受信した電子ペン２５０は、自身の識別コードを表示装置１８０に送信する（Ｓ４１２）。
【００４１】
電子ペン２５０の識別コードを受信した表示装置１８０は、同識別コードを登録する（Ｓ４１３）し、Ａｃｋ信号を電子ペン２５０に送信する（Ｓ４１４）。
【００４２】
Ａｃｋ信号を受信した電子ペン２５０は、表示装置１８０に対し表示装置１８０の識別コード要求信号を送信する（Ｓ４１５）。
【００４３】
識別コード要求信号を受信した表示装置１８０は、自身の識別コードを電子ペン２５０に送信する（Ｓ４１６）。
【００４４】
表示装置１８０の識別コードを受信した電子ペン２５０は、同識別コードを登録する（Ｓ４１７）し、Ａｃｋ信号を表示装置１８０に送信する（Ｓ４１８）。この結果、ペアリングを完了する。
【００４５】
なお、上記接続処理は一例である。例えば、表示装置１８０からペアリング要求信号を送信し、図４の表示装置１８０と電子ペン２５０とを逆にして接続処理を実行してもよい。
【００４６】
［１−２−２．電子ペンの動作］
図５は、電子ペン２５０の動作を示すフローチャートである。図５Ａは、電子ペン２５０の位置情報（ペン先の接触情報を含む）の送信動作を示し、図５Ｂは電子ペン間の距離情報の送信動作を示す。なお、図５Ａ及び図５Ｂに示す動作は、電子ペン２５０が表示装置１８０とペアリング（図４）を完了し、且つ双方の電源がＯＮであるとき、並行して実行される。
【００４７】
（電子ペンの位置情報の送信）
図５Ａに示すように、電子ペン２５０の画像センサ２１０は、電子ペン２５０のペン先が表示装置１８０のドットパターン付フィルム１００に近接又は接触したことを検出する（Ｓ５１０）。電子ペン２５０がドットパターン付フィルム１００に接触又は近接していないためドットパターンを取得できない場合、電源がＯＦＦにならない限り（Ｓ５１６のＮＯ）、Ｓ５１０に戻る。
【００４８】
近接又は接触が検出された場合は、画像センサ２１０は、ペン先のドットパターンを読み込み、取り込んだ画像データを随時、画像処理部２２０に送信する（Ｓ５１１）。
【００４９】
画像処理部２２０は、ペン先の接触位置或いは近接位置の位置情報（座標データ）を生成する（Ｓ５１２）。電子ペン２５０がドットパターン付フィルム１００に接触又は近接していた場合、画像処理部２２０は、取得した画像データからドットパターンを解析することができる。この場合、画像処理部２２０は、解析したドットパターンから位置情報を生成する。
【００５０】
無線通信部２３０は、画像処理部２２０から位置情報を取得した場合、更に、筆圧センサ２４０から接触情報を取得しているかを判断する（Ｓ５１３）。
【００５１】
電子ペン２５０が表示装置１８０の表面に接触している場合には、無線通信部２３０を介して、表示装置１８０（無線通信部１６０）に位置情報と接触情報とが送信される（Ｓ５１４）。
【００５２】
一方、電子ペン２５０が表示装置１８０の表面に接触していない場合（Ｓ５１３でＮＯ）、すなわち、筆圧センサ２４０から接触情報が通知されていない場合、無線通信部２３０を介して位置情報のみを表示装置１８０（無線通信部１６０）に送信する（Ｓ５１５）。
【００５３】
電子ペン２５０の電源がＯＦＦになるまで、上記処理を繰り返す（Ｓ５１６）。
【００５４】
（電子ペン間の距離情報の取得及び送信）
図５Ｂに示すように、電子ペン２５０の近接センサ２６０は、表示装置１８０の無線通信部１６０を介して他の電子ペンとの距離を取得する（Ｓ５２０）。近接センサ２６０は、他の電子ペンとの距離を測定し、その距離情報を無線通信部２３０に送信する。他の電子ペンは、表示装置１８０と接続可能であり電源がＯＮになっているものである。距離情報を取得した場合はＳ５２１に進み、距離情報を取得しない場合は、電源ＯＦＦにならない限り（Ｓ５２２のＮＯ）Ｓ５２０に戻る。
【００５５】
無線通信部２３０は、距離情報を表示装置１８０（無線通信部１６０）に送信する（Ｓ５２１）。
【００５６】
電子ペン２５０の電源がＯＦＦになるまで、上記処理を繰り返す（Ｓ５２２）。
【００５７】
［１−２−３．表示装置の動作］
図６は、表示装置１８０の動作を示すフローチャートである。図６Ａは、電子ペン２５０による表示装置１８０における表示制御動作を示し、図６Ｂはタッチパネルの制御動作を示す。なお、図６Ａ及び図６Ｂに示す動作は、並行して実行される。
【００５８】
（電子ペンの入力による表示制御動作）
図６Ａに示すように、表示装置１８０の表示制御部１３は、電子ペン２５０より無線通信部１６０を介して受信した信号から、電子ペン２５０の位置情報及び接触情報を受信したかどうかを判定する（Ｓ６１０）。上述のごとく、位置情報は、電子ペン２５０がドットパターン付フィルム１００に接触又は近接した際に読み取った位置情報（座標データ）である。また、接触情報は、電子ペン２５０の筆圧センサ２４０により検出された情報である。位置情報及び接触情報を受信した場合は、Ｓ６１１以降の表示処理に進み、位置情報又は接触情報を受信しない場合は表示処理を行わない。なお、位置情報のみ受信した場合も、電子ペン２５０のペン先が画面１８０ａに接触していないと考えられるため、表示処理に移行しない。
【００５９】
位置情報及び接触情報を受信した場合、表示制御部１３は、取得した電子ペンによる接触位置の軌跡に応じた表示パターンを生成する（Ｓ６１１）。
【００６０】
液晶パネル制御部１４は、表示制御部１３により生成された表示パターンを液晶パネル１３０に表示するよう制御する（Ｓ６１３）。
【００６１】
表示装置１８０の電源がＯＦＦになるまで、上記処理を繰り返す（Ｓ６１４）。
【００６２】
（タッチパネルの制御動作）
図６Ｂに示すように、表示装置１８０の表示制御部１３は、電子ペン２５０より無線通信部１６０を介して受信した信号から、他の電子ペンとの距離情報及び上記位置情報のいずれかを受信したかどうかを判定する。ここで、距離情報は、電子ペン２５０の近接センサにより検出された情報である。距離情報を受信した場合（Ｓ６２０の「距離」の場合）はＳ６２１に進み、位置情報を受信した場合（Ｓ６２０の「位置」の場合）はＳ６２２に進み、距離情報も位置情報も受信しなかった場合はＳ６２３に進む。距離情報を受信しなかった場合は、例えば、電子ペン２５０近辺に他の電子ペンが検出されない場合や近接した他の電子ペンが存在しない場合を含む。
【００６３】
表示制御部１３は、２つの電子ペンの距離が所定値以下の場合（Ｓ６２１のＹＥＳ）、すなわち電子ペン同士が近付いている場合は、タッチパネル制御部１５に対しタッチパネル機能を無効にするタッチパネル制御命令を出す。本実施の形態では、所定値は、例えば、液晶パネル１３０の対角線の長さとする。このように設定することで、液晶パネル１３０上に複数の電子ペン２５０があるとき、少なくとも２つの電子ペンの距離が液晶パネル１３０の対角線の長さ以下であるため、２つの電子ペンは近付いていると判断することができる。
【００６４】
表示制御部１３はまた、電子ペン２５０の位置情報を受信している場合（Ｓ６２０の「位置」の場合）、すなわち電子ペン２５０のペン先が画面１８０ａに接触又は近接していれば、タッチ検出センサ１２０の機能を無効にするタッチパネル制御命令を出す。これにより、電子ペン２５０によって描写を行うときに、指等の接触でタッチ検出センサ１２０が反応することによる誤動作を防ぐことができる。
【００６５】
タッチパネル制御部１５は、表示制御部１３からタッチパネル制御命令を受信し、タッチ検出センサ１２０の機能を無効にする（Ｓ６２２）。なお、タッチパネル制御部１５は、タッチパネル機能がすでに無効である場合はそのままの状態を維持する。
【００６６】
一方、２つの電子ペン間の距離が所定値より大きい場合（Ｓ６２１のＮＯ）、すなわち電子ペン同士が離れている場合、表示制御部１３は、タッチパネル制御部１５にタッチパネル機能を有効とするタッチパネル制御命令を出す。
【００６７】
タッチパネル制御部１５は、表示制御部１３から通知されたタッチパネル制御命令を受信し、タッチ検出センサ１２０の機能を有効にする（ステップＳ６２３）。なお、タッチパネル制御部１５は、タッチパネル機能がすでに有効である場合はそのままの状態とする。
【００６８】
表示装置１８０の電源がＯＦＦになるまで、上記処理を繰り返す（Ｓ６２４）。
【００６９】
［１−３．効果等］
実施の形態１にかかる表示装置１８０は、複数の電子ペン２５０（入力デバイスの一例）及びタッチによる入力に応じた情報を表示する画面１８０ａを有する。表示装置１８０は、画面１８０ａのタッチを検出するタッチ検出センサ１２０と、接続された複数の電子ペン２５０から信号を受信可能な無線通信部１６０（情報受信部の一例）と、表示制御部１３（表示制御部の一例）と、タッチパネル制御部１５（タッチパネル制御部の一例）とを備える。表示制御部１３は、無線通信部１６０で受信した信号から、接続された複数の電子ペン２５０のうち少なくとも二つの電子ペン２５０間の距離を判定する。タッチパネル制御部１５は、同判定に基づいて、タッチ検出センサ１２０の機能を有効か無効にする。例えば、タッチパネル制御部１５は、少なくとも二つの電子ペン２５０間の距離が所定値以下である場合、タッチ検出センサ１２０の機能を無効にする。
【００７０】
これにより、入力デバイスである複数の電子ペン２５０同士が近付いたときは、タッチパネルの機能を無効にすることができる。例えば、電子ペン２５０が画面１８０ａと接近しているかどうかわからない場合（例えば、電子ペン２５０のペン先が画面１８０ａから離れており電子ペン２５０と画面との距離がわからない場合）がある。この場合でもあっても、複数の電子ペン２５０を同時に利用するとき、例えば、電子ペン２５０を持つ手が画面１８０ａに触れてしまっても、電子ペン２５０のみ反応し、触れてしまった手によっては反応しない。
【００７１】
よって、表示装置１８０は、複数のユーザがそれぞれ電子ペン２５０を利用している場合、タッチパネルの誤動作をより確実に防止することができる。
【００７２】
また、表示装置１８０においては、タッチパネル制御部１５は、少なくとも二つの電子ペン２５０間の距離が所定値より大きく、且つ複数の電子ペン２５０のうちのいずれも画面と近接又は接触していない場合、タッチ検出センサ１２０の機能を有効にする。これにより、ユーザの意志に反したタッチパネルの誤動作をより確実に防止することができる。
【００７３】
（その他実施の形態）
実施の形態１では、入力デバイスとして電子ペンを利用していたが、これに限定されない。例えば、ＬＥＤ、画像センサ、画像処理部、無線通信部、及び筆圧センサを有する、ペンの形状を持たない他の入力デバイスでも良い。
【００７４】
実施の形態１で示した各部は、ＬＳＩなどの半導体装置により個別に１チップ化されても良いし、一部又は全部を含むように１チップ化されても良い。
【００７５】
また、各機能ブロックの処理の一部又は全部は、プログラムにより実現されるものであってもよい。そして、上記各実施形態の各機能ブロックの処理の一部又は全部は、コンピュータにおいて、中央演算装置（ＣＰＵ）により行われてもよい。また、それぞれの処理を行うためのプログラムは、ハードディスク、ＲＯＭなどの記憶装置に格納されており、ＲＯＭにおいて、或いはＲＡＭに読み出されて実行されてもよい。
【００７６】
また、上記実施形態の各処理をハードウェアにより実現してもよいし、ソフトウェア（ＯＳ（オペレーティングシステム）、ミドルウェア、或いは、所定のライブラリとともに実現される場合を含む。）により実現してもよい。さらに、ソフトウェア及びハードウェアの混在処理により実現しても良い。
【００７７】
また、上記実施形態における処理方法の実行順序は、必ずしも、上記実施形態の記載に制限されるものではなく、発明の要旨を逸脱しない範囲で、実行順序を入れ替えることができる。
【００７８】
上記実施形態で説明される、表示制御方法、その方法をコンピュータに実行させるコンピュータプログラム、及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリを挙げることができる。
【００７９】
上記コンピュータプログラムは、上記記録媒体に記録されたものに限られず、電気通信回線、無線又は有線通信回線、インターネットを代表とするネットワーク等を経由して伝送されてもよい。
【００８０】
上記実施形態における処理方法の実行順序は、必ずしも、上記実施形態の記載に制限されるものではなく、発明の要旨を逸脱しない範囲で、実行順序を入れ替えてもよい。
【００８１】
以上のように、本出願において開示する技術の例示として、実施の形態１を説明した。しかしながら、本開示における技術は、これに限定されず、変更、置き換え、付加、省略などを行った実施の形態にも適用できる。
【産業上の利用可能性】
【００８２】
本開示は、電子ペン等の入力デバイスによる操作とタッチパネルによる操作で情報の入力が可能な表示装置に適用可能である。具体的には、スマートフォン、タブレット端末などに、本開示は適用可能である。
【符号の説明】
【００８３】
１０  制御部
１１  タッチ検出部
１２  記憶部
１３  表示制御部
１４  液晶パネル制御部
１５  タッチパネル制御部
１００  ドットパターン付フィルム
１１０  カバーガラス
１２０  タッチ検出センサ
１３０  液晶パネル
１４０  メモリ
１５０  ＣＰＵ
１６０  無線通信部
１８０  表示装置
１８０ａ  画面
２００  ＬＥＤ
２１０  画像センサ
２２０  画像処理部
２３０  無線通信部
２４０  筆圧センサ
２５０  電子ペン
２６０  近接センサ
【図１】
2015145931.tif 000003
【図２】
2015145931.tif 000004
【図３】
2015145931.tif 000005
【図４】
2015145931.tif 000006
【図５Ａ】
2015145931.tif 000007
【図５Ｂ】
2015145931.tif 000008
【図６Ａ】
2015145931.tif 000009
【図６Ｂ】
2015145931.tif 000010
【手続補正書】
【提出日】平成28年3月23日(2016.3.23)
【手続補正１】
【補正対象書類名】明細書
【補正対象項目名】全文
【補正方法】変更
【補正の内容】
【発明の詳細な説明】
【技術分野】
【０００１】
本開示は、電子ペン等の入力デバイスとタッチパネルによる操作で情報の入力が可能な表示装置に関する。
【背景技術】
【０００２】
特許文献１は、複数のペンにより操作された場合、タッチパネルに後から接触した専用ペンの入力のみを有効にするサポート機能付ゲーム機を開示している。
【０００３】
大画面の表示装置において複数の電子ペンを同時に利用して描画するとき、電子ペンを持つ手や電子ペンを持っていない方の手がタッチパネルに触れてしまうことがある。この場合、電子ペンだけではなく、タッチパネルに触れてしまった手によっても間違って入力が実行され描画されてしまう。このため、表示装置の使い勝手がよくなかった。
【０００４】
また、画像センサ方式の電子ペンは、画像センサがタッチパネル上に配置されるドットパターンを読み取り、タッチパネル上の電子ペンの位置情報を生成する。表示装置は、電子ペンから送信される位置情報に基づき、描画等の表示を実行する。よって、表示装置は、電子ペンの画像センサをドットパターン或いはタッチパネルに向けなければ、電子ペンがタッチパネルに接近しているかどうか判断できない。このため、複数の入力手段、例えば電子ペンとユーザの手が画面の上方にあっても、表示装置は、電子ペンによる入力を優先させる等の入力制御を行うことができない場合がある。
【先行技術文献】
【特許文献】
【０００５】
【特許文献１】特開２００７−１９５７７１号公報
【発明の概要】
【０００６】
本開示における表示装置は、複数の入力デバイスと接続可能であり、複数の入力デバイス及びタッチによる入力に応じた情報を表示する画面を有する。表示装置は、タッチ検出センサと、情報受信部と、表示制御部と、タッチパネル制御部とを備える。タッチ検出センサは、画面のタッチを検出する。情報受信部は、接続された複数の入力デバイスから信号を受信可能である。表示制御部は、情報受信部で受信した信号から、接続された複数の入力デバイスのうち少なくとも二つの入力デバイス間の距離を判定する。タッチパネル制御部は、表示制御部の判定に基づき、タッチ検出センサの機能を有効か無効にする。
【図面の簡単な説明】
【０００７】
【図１】図１は、実施の形態１における表示装置の断面構成を示す図である。
【図２】図２は、実施の形態１における表示装置の制御部の構成を示す図である。
【図３】図３は、実施の形態１における電子ペンの構成を示す図である。
【図４】図４は、実施の形態１における表示装置と電子ペンの接続処理を示すシーケンス図である。
【図５Ａ】図５Ａは、実施の形態１における電子ペンの位置情報の送信動作を説明するためのフローチャートである。
【図５Ｂ】図５Ｂは、電子ペン間の距離情報の送信動作を説明するためのフローチャートである。
【図６Ａ】図６Ａは、実施の形態１における表示装置の電子ペンの入力による表示制御動作を説明するためのフローチャートである。
【図６Ｂ】図６Ｂは、タッチパネルの制御動作を説明するためのフローチャートである。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面及び以下の説明は、当業者が本開示を十分に理解するために、提供されるのであって、これらにより特許請求の範囲に記載の主題を限定することは意図されていない。
【００１０】
以下に説明する実施の形態の表示装置は、電子ペン等の入力デバイスによって情報の入力及び操作が可能な電子機器である。そのような電子機器の例として、スマートフォン、タブレット端末が考えられる。
【００１１】
（実施の形態１）
以下、図１〜６を用いて、実施の形態１を説明する。
【００１２】
［１−１．構成］
［１−１−１．表示装置の構成］
図１に示すように、表示装置１８０（表示装置の一例）は、電子ペンによる描写が可能であり且つタッチによる操作が可能な画面１８０ａ（タッチパネル）を有する。表示装置１８０は、ドットパターン付フィルム１００、カバーガラス１１０、タッチ検出センサ１２０（タッチ検出センサの一例）、液晶パネル１３０、制御部１０、及び無線通信部１６０（情報受信部の一例）を備える。
【００１３】
ドットパターン付フィルム１００は、特定の配列でドットが実装されたフィルムである。電子ペンの画像処理部（後述）は、ドットパターン付フィルム１００の所定範囲内のドットパターンから画像位置を特定する。
【００１４】
カバーガラス１１０は、液晶パネル１３０や、タッチ検出センサ１２０を保護するためのガラスである。
【００１５】
タッチ検出センサ１２０は、例えば、格子状に透明電極が実装され、透明電極に対する電圧の変化等を監視することにより、画面１８０ａへの指等の接触を検出する。
【００１６】
液晶パネル１３０は、後述する表示制御部１３が決定した表示パターンを表示する。液晶パネル１３０は、表示パターンに基づき、映像、各種アイコン等の画像、及びアプリケーションによる文字等の各種情報を表示する。
【００１７】
制御部１０は、ＣＰＵ（Ｃｅｎｔｒａｌ  Ｐｒｏｃｅｓｓｉｎｇ  Ｕｎｉｔ；制御部の一例）１５０及びメモリ１４０を備える。ＣＰＵ１５０は、メモリ１４０上にあるプログラムを読み込み、実行し、表示装置１８０の全体動作を制御する。メモリ１４０は、例えば、半導体メモリである。
【００１８】
無線通信部１６０は、Ｂｌｕｅｔｏｏｔｈ（登録商標）等近距離無線通信を行い、所定の通信規格に従った信号を電子ペン２５０から受信する。
【００１９】
［１−１−２．制御部の構成］
図２は、制御部１０の構成を示す。制御部１０は、ＣＰＵ１５０（図１）がプログラムを実行することによって、タッチ検出部１１、表示制御部１３（表示制御部の一例）、液晶パネル制御部１４、及びタッチパネル制御部１５（タッチパネル制御部の一例）の各機能を実行する。記憶部１２はメモリ１４０により構成される。
【００２０】
タッチ検出部１１は、例えば、液晶パネル１３０上のタッチ検出センサ１２０に対し電圧制御を行い、電圧の変化等を監視する。そして、タッチ検出部１１は、液晶パネル１３０に対する指等の接触を検出し、画面１８０ａ上の接触位置情報（座標データ）を生成する。なお、タッチ検出部１１は、本実施の形態の電子ペンによる画面１８０ａに対する接触は検知しない。
【００２１】
表示制御部１３は、タッチ検出部１１から接触位置情報を取得する。
【００２２】
表示制御部１３はまた、電子ペン２５０から無線通信部１６０を介して受信された電子ペン２５０の位置情報及び接触情報を取得する。電子ペン２５０の位置情報は、電子ペン２５０のペン先がドットパターン付フィルム１００に接触又は近接した際に読み取った位置情報であり、接触情報は筆圧センサ（後述）による接触情報である。表示制御部１３はまた、他の電子ペンとの距離情報を電子ペン２５０より無線通信部１６０を介して取得する。
【００２３】
表示制御部１３は、取得した電子ペンによる接触位置の軌跡に基づく表示パターンを生成し、液晶パネル１３０に表示するように液晶パネル制御部１４に通知する。更に、表示制御部１３は、タッチ検出部１１からの検出信号に基づき、ユーザによるフリック、ピンチイン、ピンチアウト等のジェスチャ操作に基づいた表示制御を行う。
【００２４】
更に、表示制御部１３は、他の電子ペンとの距離情報（複数の電子ペンの位置情報から算出した電子ペン間の距離）に基づき、タッチ検出センサ１２０の機能を有効にするか無効にするかを決定する。そして、表示制御部１３は、決定に基づいたタッチパネル制御命令をタッチパネル制御部１５に通知する。具体的には、他の電子ペンとの距離が所定値以下であれば、タッチ検出センサ１２０の機能を無効にする。
【００２５】
表示制御部１３はまた、電子ペン２５０の位置情報に基づき、タッチ検出センサ１２０の機能を有効にするか無効にするかを決定し、決定に基づいたタッチパネル制御命令をタッチパネル制御部１５に通知する。具体的には、電子ペン２５０のペン先が画面１８０ａに接触又は近接していれば、タッチ検出センサ１２０の機能を無効にする。
【００２６】
液晶パネル制御部１４は、表示制御部１３から通知された表示パターンを、液晶パネル１３０に表示させる。液晶パネル制御部１４はまた、表示制御部１３で取得した電子ペン２５０による接触位置の軌跡を、液晶パネル１３０に表示させる。
【００２７】
タッチパネル制御部１５は、表示制御部１３から通知されたタッチパネル制御命令に応じてタッチ検出センサ１２０による検出を有効或いは無効にする。タッチ検出センサ１２０が有効である場合、つまりタッチパネル機能が有効である場合は、表示制御部１３は、タッチ検出部１１からの検出信号に基づき、ユーザによるフリック、ピンチイン、ピンチアウト等のジェスチャ操作に基づいた表示制御を実行する。一方、タッチ検出センサ１２０が無効である場合、つまりタッチパネル機能が無効である場合は、タッチ検出部１１による検出を停止する。
【００２８】
［１−１−３．電子ペンの構成］
図３は、実施の形態１における電子ペン（入力デバイスの一例）の構成を示す図である。
【００２９】
図３において、電子ペン２５０は、ＬＥＤ２００、画像センサ２１０、画像処理部２２０、無線通信部２３０、筆圧センサ２４０、近接センサ２６０を備える。
【００３０】
ＬＥＤ２００は、光を照射する。
【００３１】
画像センサ２１０は、ＬＥＤ２００から照射された光の反射光を検出することにより、電子ペン２５０がドットパターン付フィルム１００に接触した際のペン先に位置するドットパターンを読み取る。画像センサ２１０は、読み取ったドットパターンを含む画像データを画像処理部２２０に送信する。なお、画像センサ２１０は、電子ペン２５０がドットパターン付フィルム１００に近接していれば、ドットパターン付フィルム１００に接触していなくても、電子ペン２５０のペン先の先にあるドットパターンを読み取ることができる。
【００３２】
画像処理部２２０は、画像センサ２１０から取得した画像データ（ドットパターン）を解析し、ペン先の接触位置の位置情報（座標データ）を生成して、無線通信部２３０に送信する。
【００３３】
電子ペン２５０の無線通信部２３０は、画像処理部２２０から取得したペン先の位置情報と、筆圧センサ２４０から転送される接触情報と、近接センサ２６０から転送される距離情報を、表示装置１８０の無線通信部１６０に送信する。
【００３４】
筆圧センサ２４０は、電子ペン２５０のペン先がドットパターン付フィルム１００に接触しているかを検出し、さらに接触した場合にその接触の強さを検出する。そして、筆圧センサ２４０は、その検出結果を示す接触情報を、電子ペン２５０の無線通信部２３０に転送する。
【００３５】
近接センサ２６０は、他の電子ペンとの距離を計測する。そして、近接センサ２６０は、その計測結果を示す距離情報を、電子ペン２５０の無線通信部２３０に送信する。
【００３６】
無線通信部２３０は、近接センサ２６０より取得した距離情報を表示装置１８０の無線通信部１６０に送信する。
【００３７】
［１−２．動作］
［１−２−１．電子ペンと表示装置の接続処理］
図４は、電子ペン２５０と表示装置１８０との間で行う接続処理（ペアリング）を示す。なお、この接続処理は、電子ペン２５０の最初の電源ＯＮ時に実行される。
【００３８】
まず、電子ペン２５０の無線通信部２３０から表示装置１８０の無線通信部１６０に対し、ペアリング開始要求信号を送信する（Ｓ４１０）。
【００３９】
ペアリング開始要求信号を受信した表示装置１８０は、電子ペン２５０に対し電子ペン２５０の識別コード要求信号を送信する（Ｓ４１１）。
【００４０】
識別コード要求信号を受信した電子ペン２５０は、自身の識別コードを表示装置１８０に送信する（Ｓ４１２）。
【００４１】
電子ペン２５０の識別コードを受信した表示装置１８０は、同識別コードを登録する（Ｓ４１３）し、Ａｃｋ信号を電子ペン２５０に送信する（Ｓ４１４）。
【００４２】
Ａｃｋ信号を受信した電子ペン２５０は、表示装置１８０に対し表示装置１８０の識別コード要求信号を送信する（Ｓ４１５）。
【００４３】
識別コード要求信号を受信した表示装置１８０は、自身の識別コードを電子ペン２５０に送信する（Ｓ４１６）。
【００４４】
表示装置１８０の識別コードを受信した電子ペン２５０は、同識別コードを登録する（Ｓ４１７）し、Ａｃｋ信号を表示装置１８０に送信する（Ｓ４１８）。この結果、ペアリングを完了する。
【００４５】
なお、上記接続処理は一例である。例えば、表示装置１８０からペアリング開始要求信号を送信し、図４の表示装置１８０と電子ペン２５０とを逆にして接続処理を実行してもよい。
【００４６】
［１−２−２．電子ペンの動作］
図５は、電子ペン２５０の動作を示すフローチャートである。図５Ａは、電子ペン２５０の位置情報（ペン先の接触情報を含む）の送信動作を示し、図５Ｂは電子ペン間の距離情報の送信動作を示す。なお、図５Ａ及び図５Ｂに示す動作は、電子ペン２５０が表示装置１８０とペアリング（図４）を完了し、且つ双方の電源がＯＮであるとき、並行して実行される。
【００４７】
（電子ペンの位置情報の送信）
図５Ａに示すように、電子ペン２５０の画像センサ２１０は、電子ペン２５０のペン先が表示装置１８０のドットパターン付フィルム１００に近接又は接触したことを検出する（Ｓ５１０）。電子ペン２５０がドットパターン付フィルム１００に接触又は近接していないためドットパターンを取得できない場合、電源がＯＦＦにならない限り（Ｓ５１６のＮＯ）、Ｓ５１０に戻る。
【００４８】
近接又は接触が検出された場合は、画像センサ２１０は、ペン先のドットパターンを読み込み、取り込んだ画像データを随時、画像処理部２２０に送信する（Ｓ５１１）。
【００４９】
画像処理部２２０は、ペン先の接触位置或いは近接位置の位置情報（座標データ）を生成する（Ｓ５１２）。電子ペン２５０がドットパターン付フィルム１００に接触又は近接していた場合、画像処理部２２０は、取得した画像データからドットパターンを解析することができる。この場合、画像処理部２２０は、解析したドットパターンから位置情報を生成する。
【００５０】
無線通信部２３０は、画像処理部２２０から位置情報を取得した場合、更に、筆圧センサ２４０から接触情報を取得しているかを判断する（Ｓ５１３）。
【００５１】
電子ペン２５０が表示装置１８０の表面に接触している場合には、無線通信部２３０を介して、表示装置１８０（無線通信部１６０）に位置情報と接触情報とが送信される（Ｓ５１４）。
【００５２】
一方、電子ペン２５０が表示装置１８０の表面に接触していない場合（Ｓ５１３でＮＯ）、すなわち、筆圧センサ２４０から接触情報が通知されていない場合、無線通信部２３０を介して位置情報のみを表示装置１８０（無線通信部１６０）に送信する（Ｓ５１５）。
【００５３】
電子ペン２５０の電源がＯＦＦになるまで、上記処理を繰り返す（Ｓ５１６）。
【００５４】
（電子ペン間の距離情報の取得及び送信）
図５Ｂに示すように、電子ペン２５０の近接センサ２６０は、表示装置１８０の無線通信部１６０を介して他の電子ペンとの距離を取得する（Ｓ５２０）。近接センサ２６０は、他の電子ペンとの距離を測定し、その距離情報を無線通信部２３０に送信する。他の電子ペンは、表示装置１８０と接続可能であり電源がＯＮになっているものである。距離情報を取得した場合はＳ５２１に進み、距離情報を取得しない場合は、電源ＯＦＦにならない限り（Ｓ５２２のＮＯ）Ｓ５２０に戻る。
【００５５】
無線通信部２３０は、距離情報を表示装置１８０（無線通信部１６０）に送信する（Ｓ５２１）。
【００５６】
電子ペン２５０の電源がＯＦＦになるまで、上記処理を繰り返す（Ｓ５２２）。
【００５７】
［１−２−３．表示装置の動作］
図６は、表示装置１８０の動作を示すフローチャートである。図６Ａは、電子ペン２５０による表示装置１８０における表示制御動作を示し、図６Ｂはタッチパネルの制御動作を示す。なお、図６Ａ及び図６Ｂに示す動作は、並行して実行される。
【００５８】
（電子ペンの入力による表示制御動作）
図６Ａに示すように、表示装置１８０の表示制御部１３は、電子ペン２５０より無線通信部１６０を介して受信した信号から、電子ペン２５０の位置情報及び接触情報を受信したかどうかを判定する（Ｓ６１０）。上述のごとく、位置情報は、電子ペン２５０がドットパターン付フィルム１００に接触又は近接した際に読み取った位置情報（座標データ）である。また、接触情報は、電子ペン２５０の筆圧センサ２４０により検出された情報である。位置情報及び接触情報を受信した場合は、Ｓ６１１以降の表示処理に進み、位置情報又は接触情報を受信しない場合は表示処理を行わない。なお、位置情報のみ受信した場合も、電子ペン２５０のペン先が画面１８０ａに接触していないと考えられるため、表示処理に移行しない。
【００５９】
位置情報及び接触情報を受信した場合、表示制御部１３は、取得した電子ペンによる接触位置の軌跡に応じた表示パターンを生成する（Ｓ６１１）。
【００６０】
液晶パネル制御部１４は、表示制御部１３により生成された表示パターンを液晶パネル１３０に表示するよう制御する（Ｓ６１３）。
【００６１】
表示装置１８０の電源がＯＦＦになるまで、上記処理を繰り返す（Ｓ６１４）。
【００６２】
（タッチパネルの制御動作）
図６Ｂに示すように、表示装置１８０の表示制御部１３は、電子ペン２５０より無線通信部１６０を介して受信した信号から、他の電子ペンとの距離情報及び上記位置情報のいずれかを受信したかどうかを判定する。ここで、距離情報は、電子ペン２５０の近接センサにより検出された情報である。距離情報を受信した場合（Ｓ６２０の「距離」の場合）はＳ６２１に進み、位置情報を受信した場合（Ｓ６２０の「位置」の場合）はＳ６２２に進み、距離情報も位置情報も受信しなかった場合はＳ６２３に進む。距離情報を受信しなかった場合は、例えば、電子ペン２５０近辺に他の電子ペンが検出されない場合や近接した他の電子ペンが存在しない場合を含む。
【００６３】
表示制御部１３は、２つの電子ペンの距離が所定値以下の場合（Ｓ６２１のＹＥＳ）、すなわち電子ペン同士が近付いている場合は、タッチパネル制御部１５に対しタッチパネル機能を無効にするタッチパネル制御命令を出す。本実施の形態では、所定値は、例えば、液晶パネル１３０の対角線の長さとする。このように設定することで、液晶パネル１３０上に複数の電子ペン２５０があるとき、少なくとも２つの電子ペンの距離が液晶パネル１３０の対角線の長さ以下であるため、２つの電子ペンは近付いていると判断することができる。
【００６４】
表示制御部１３はまた、電子ペン２５０の位置情報を受信している場合（Ｓ６２０の「位置」の場合）、すなわち電子ペン２５０のペン先が画面１８０ａに接触又は近接していれば、タッチ検出センサ１２０の機能を無効にするタッチパネル制御命令を出す。これにより、電子ペン２５０によって描写を行うときに、指等の接触でタッチ検出センサ１２０が反応することによる誤動作を防ぐことができる。
【００６５】
タッチパネル制御部１５は、表示制御部１３からタッチパネル制御命令を受信し、タッチ検出センサ１２０の機能を無効にする（Ｓ６２２）。なお、タッチパネル制御部１５は、タッチパネル機能がすでに無効である場合はそのままの状態を維持する。
【００６６】
一方、２つの電子ペン間の距離が所定値より大きい場合（Ｓ６２１のＮＯ）、すなわち電子ペン同士が離れている場合、表示制御部１３は、タッチパネル制御部１５にタッチパネル機能を有効とするタッチパネル制御命令を出す。
【００６７】
タッチパネル制御部１５は、表示制御部１３から通知されたタッチパネル制御命令を受信し、タッチ検出センサ１２０の機能を有効にする（ステップＳ６２３）。なお、タッチパネル制御部１５は、タッチパネル機能がすでに有効である場合はそのままの状態とする。
【００６８】
表示装置１８０の電源がＯＦＦになるまで、上記処理を繰り返す（Ｓ６２４）。
【００６９】
［１−３．効果等］
実施の形態１にかかる表示装置１８０は、複数の電子ペン２５０（入力デバイスの一例）及びタッチによる入力に応じた情報を表示する画面１８０ａを有する。表示装置１８０は、画面１８０ａのタッチを検出するタッチ検出センサ１２０と、接続された複数の電子ペン２５０から信号を受信可能な無線通信部１６０（情報受信部の一例）と、表示制御部１３（表示制御部の一例）と、タッチパネル制御部１５（タッチパネル制御部の一例）とを備える。表示制御部１３は、無線通信部１６０で受信した信号から、接続された複数の電子ペン２５０のうち少なくとも二つの電子ペン２５０間の距離を判定する。タッチパネル制御部１５は、同判定に基づいて、タッチ検出センサ１２０の機能を有効か無効にする。例えば、タッチパネル制御部１５は、少なくとも二つの電子ペン２５０間の距離が所定値以下である場合、タッチ検出センサ１２０の機能を無効にする。
【００７０】
これにより、入力デバイスである複数の電子ペン２５０同士が近付いたときは、タッチパネルの機能を無効にすることができる。例えば、電子ペン２５０が画面１８０ａと接近しているかどうかわからない場合（例えば、電子ペン２５０のペン先が画面１８０ａから離れており電子ペン２５０と画面との距離がわからない場合）がある。この場合でもあっても、複数の電子ペン２５０を同時に利用するとき、例えば、電子ペン２５０を持つ手が画面１８０ａに触れてしまっても、電子ペン２５０のみ反応し、触れてしまった手によっては反応しない。
【００７１】
よって、表示装置１８０は、複数のユーザがそれぞれ電子ペン２５０を利用している場合、タッチパネルの誤動作をより確実に防止することができる。
【００７２】
また、表示装置１８０においては、タッチパネル制御部１５は、少なくとも二つの電子ペン２５０間の距離が所定値より大きく、且つ複数の電子ペン２５０のうちのいずれも画面と近接又は接触していない場合、タッチ検出センサ１２０の機能を有効にする。これにより、ユーザの意志に反したタッチパネルの誤動作をより確実に防止することができる。
【００７３】
（その他実施の形態）
実施の形態１では、入力デバイスとして電子ペンを利用していたが、これに限定されない。例えば、ＬＥＤ、画像センサ、画像処理部、無線通信部、及び筆圧センサを有する、ペンの形状を持たない他の入力デバイスでも良い。
【００７４】
実施の形態１で示した各部は、ＬＳＩなどの半導体装置により個別に１チップ化されても良いし、一部又は全部を含むように１チップ化されても良い。
【００７５】
また、各機能ブロックの処理の一部又は全部は、プログラムにより実現されるものであってもよい。そして、上記各実施形態の各機能ブロックの処理の一部又は全部は、コンピュータにおいて、中央演算装置（ＣＰＵ）により行われてもよい。また、それぞれの処理を行うためのプログラムは、ハードディスク、ＲＯＭなどの記憶装置に格納されており、ＲＯＭにおいて、或いはＲＡＭに読み出されて実行されてもよい。
【００７６】
また、上記実施形態の各処理をハードウェアにより実現してもよいし、ソフトウェア（ＯＳ（オペレーティングシステム）、ミドルウェア、或いは、所定のライブラリとともに実現される場合を含む。）により実現してもよい。さらに、ソフトウェア及びハードウェアの混在処理により実現しても良い。
【００７７】
また、上記実施形態における処理方法の実行順序は、必ずしも、上記実施形態の記載に制限されるものではなく、発明の要旨を逸脱しない範囲で、実行順序を入れ替えることができる。
【００７８】
上記実施形態で説明される、表示制御方法、その方法をコンピュータに実行させるコンピュータプログラム、及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリを挙げることができる。
【００７９】
上記コンピュータプログラムは、上記記録媒体に記録されたものに限られず、電気通信回線、無線又は有線通信回線、インターネットを代表とするネットワーク等を経由して伝送されてもよい。
【００８０】
上記実施形態における処理方法の実行順序は、必ずしも、上記実施形態の記載に制限されるものではなく、発明の要旨を逸脱しない範囲で、実行順序を入れ替えてもよい。
【００８１】
以上のように、本出願において開示する技術の例示として、実施の形態１を説明した。しかしながら、本開示における技術は、これに限定されず、変更、置き換え、付加、省略などを行った実施の形態にも適用できる。
【産業上の利用可能性】
【００８２】
本開示は、電子ペン等の入力デバイスによる操作とタッチパネルによる操作で情報の入力が可能な表示装置に適用可能である。具体的には、スマートフォン、タブレット端末などに、本開示は適用可能である。
【符号の説明】
【００８３】
１０    制御部
１１    タッチ検出部
１２    記憶部
１３    表示制御部
１４    液晶パネル制御部
１５    タッチパネル制御部
１００    ドットパターン付フィルム
１１０    カバーガラス
１２０    タッチ検出センサ
１３０    液晶パネル
１４０    メモリ
１５０    ＣＰＵ
１６０    無線通信部
１８０    表示装置
１８０ａ    画面
２００    ＬＥＤ
２１０    画像センサ
２２０    画像処理部
２３０    無線通信部
２４０    筆圧センサ
２５０    電子ペン
２６０    近接センサ
【手続補正２】
【補正対象書類名】特許請求の範囲
【補正対象項目名】全文
【補正方法】変更
【補正の内容】
【特許請求の範囲】
【請求項１】
複数の入力デバイスと接続可能であり、複数の入力デバイス及びタッチによる入力に応じた情報を表示する画面を有する表示装置であって、
画面のタッチを検出するタッチ検出センサと、
接続された前記複数の入力デバイスから信号を受信可能な情報受信部と、
前記情報受信部で受信した信号から、接続された前記複数の入力デバイスのうち少なくとも二つの入力デバイス間の距離を判定する表示制御部と、
前記表示制御部の判定に基づき、前記タッチ検出センサの機能を有効か無効にするタッチパネル制御部と、
を備える、表示装置。
【請求項２】
前記タッチパネル制御部は、前記少なくとも二つの入力デバイス間の距離が所定値以下である場合、前記タッチ検出センサの機能を無効にする、
請求項１に記載の表示装置。
【請求項３】
前記タッチパネル制御部は、前記少なくとも二つの入力デバイス間の距離が所定値より大きい場合、前記タッチ検出センサの機能を有効にする、
請求項１に記載の表示装置。
【請求項４】
前記タッチパネル制御部は、前記少なくとも二つの入力デバイス間の距離が前記所定値より大きい場合、前記タッチ検出センサの機能を有効にする、
請求項２に記載の表示装置。
【請求項５】
前記タッチパネル制御部は、前記少なくとも二つの入力デバイス間の距離が所定値より大きく、且つ前記複数の入力デバイスのうちのいずれも前記画面と近接又は接触していない場合、前記タッチ検出センサの機能を有効にする、
請求項１に記載の表示装置。
【請求項６】
前記タッチパネル制御部は、前記少なくとも二つの入力デバイス間の距離が前記所定値より大きく、且つ前記複数の入力デバイスのうちのいずれも前記画面と近接又は接触していない場合、前記タッチ検出センサの機能を有効にする、
請求項２に記載の表示装置。
【請求項７】
前記タッチパネル制御部は、前記少なくとも二つの入力デバイス間の距離が取得されない場合、前記タッチ検出センサの機能を有効にする、
請求項１から４のいずれかに記載の表示装置。
【請求項８】
前記所定値は、前記画面の対角線の長さに相当する、
請求項２から７のいずれかに記載の表示装置。
【請求項９】
前記複数の入力デバイスは、電子ペンである、
請求項１から８のいずれかに記載の表示装置。
【手続補正３】
【補正対象書類名】図面
【補正対象項目名】全図
【補正方法】変更
【補正の内容】
【図１】
2015145931.tif 000011
【図２】
2015145931.tif 000012
【図３】
2015145931.tif 000013
【図４】
2015145931.tif 000014
【図５Ａ】
2015145931.tif 000015
【図５Ｂ】
2015145931.tif 000016
【図６Ａ】
2015145931.tif 000017
【図６Ｂ】
2015145931.tif 000018
【国際調査報告】
2015145931.tif 000019
2015145931.tif 000020